(57)【要約】【課題】上部磁力部を分離させて下部磁力部を密着した状態にすることで、上部磁力部の引き合う磁力の影響を受けずに環状物品を片方の本体部及び環状物品保持部に容易に通すことができ、その後上部磁力部を密着させて下部磁力部を分離させることで本体部の上部と環状物品保持部が環を成して環状物品が外れなくなることにより、環状物品を安定して保持することができ、また、本体部を磁石の着く材質の壁面に固定することができる構造を有することを特徴とする磁気式環状物品保持具を提供する。【解決手段】異極同士で引き合う上下二対の磁力部と、一対の磁力部が密着した際にもう一対の磁力部が分離する角度で上部磁力部及び下部磁力部を固定する本体部と、左右一対の本体部を上部磁力部と下部磁力部の間で連結する環状物品保持部を有することを特徴とする。【選択図】図１
2015009138.tif 000002
【特許請求の範囲】
【請求項１】
２つの磁石が異極同士で引き合う上下二対で構成される上部磁力部及び下部磁力部と、一対の磁力部が密着した際にもう一対の磁力部が分離する角度で上部磁力部及び下部磁力部を固定し、かつ環状物品を保持する際に弊害とならない幅で形成された左右一対の本体部と、左右一対の本体部を上部磁力部と下部磁力部の間で連結し、かつ環状物品を保持する際に弊害とならない幅で形成され、本体部の動きに合わせて随時変形する環状物品保持部と、を有することを特徴とする磁気式環状物品保持具。
【発明の詳細な説明】
【技術分野】
【０００１】  本発明は、磁気式環状物品保持具に関するものである。
【背景技術】
【０００２】  従来、炊事や洗い物等の家事又は飲食店や工場等での勤務の前には、指輪損傷の恐れや衛生上の理由から、指輪を一時的に外す習慣又は規則が多くあるにも係わらず、外した指輪の置き場所を定位置に定めていないことが多く、作業場周辺や更衣室等のロッカー内にそのまま置いたりしていたため、指輪を紛失してしまうことが散見された。【０００３】  これまでにも、指輪を定位置に置くことを目的とした様々な形状の指輪置きや磁石等により壁面等に固定され、フック構造等により物品を掛けて保持できる物品保持具が市販されており、また、磁石及び再剥離粘着剤により壁面に固定され、開閉クリップ等を設けた吊下取付具等が知られている（特許文献１参照）。
【先行技術文献】
【特許文献】
【０００４】
【特許文献１】  実用新案登録第３０１３２６４号公報
【発明の概要】
【発明が解決しようとする課題】
【０００５】  指輪置きは、指輪を定位置に置くことができるものの、棚上や台上などに設置するものであり、台所等の活用できるスペースが限られている環境下では、指輪置きそのものを定位置に置くスペースが確保できない場合があった。【０００６】  また、壁面に固定され、フック構造等により物品を掛けて保持できる物品保持具や開閉クリップ等を設けた吊下取付具は、限られたスペースを有効に活用し、物品を一時的に定位置に固定することができるものの、そこから指輪等の環状物品が落ちないような特別な工夫がなされている訳ではないため、外れて落下してしまうことが散見又は懸念された。【０００７】  本発明は以上の問題点を解決するためになされたものである。
【課題を解決するための手段】
【０００８】  すなわち、２つの磁石が異極同士で引き合う上下二対で構成される上部磁力部及び下部磁力部と、一対の磁力部が密着した際にもう一対の磁力部が分離する角度で上部磁力部及び下部磁力部を固定し、かつ環状物品を保持する際に弊害とならない幅で形成された左右一対の本体部と、左右一対の本体部を上部磁力部と下部磁力部の間で連結し、かつ環状物品を保持する際に弊害とならない幅で形成され、本体部の動きに合わせて随時変形する環状物品保持部と、から成ることを特徴としている。
【発明の効果】
【０００９】  本発明によれば、上部磁力部を分離させて下部磁力部を密着した状態にすることで、上部磁力部の引き合う磁力の影響を受けずに環状物品を片方の本体部及び環状物品保持部に容易に通すことができ、その後上部磁力部を密着させて下部磁力部を分離させることで本体部の上部と環状物品保持部が環を成して環状物品が外れなくなることにより、環状物品を安定して保持することができる。
また、上下二対で構成される上部磁力部及び下部磁力部により本体部を冷蔵庫やロッカー等の磁石に着く材質の壁面に固定することができることから、限られたスペースを有効に活用して、環状物品を定位置に安定して固定することができる。
【図面の簡単な説明】
【００１０】
【図１】  本発明の上部磁力部が密着し、下部磁力部が分離した状態の正面図である。
【図２】  本発明の上部磁力部が分離し、下部磁力部が密着した状態の正面図である。
【図３】  本発明の上部磁力部を分離し、下部磁力部を密着した状態にし、環状物品を片方の本体部及び環状物品保持部に通した状態の例を示す正面図である。
【図４】  本発明の環状物品を保持した状態の例を示す正面図である。
【図５】  本発明の環状物品を保持した状態の例を示す側面図である。
【図６】  本発明の環状物品を保持した状態の例を示す図４のＡ−Ａで切断した断面図である。
【図７】  本発明の環状物品を保持した状態の例を示す斜視図である。
【発明を実施するための形態】
【００１１】  以下、本発明の実施の形態を説明する。
本発明は、２つの磁石が異極同士で引き合う上下二対で構成される上部磁力部（１ａ）及び下部磁力部（１ｂ）と、一対の磁力部が密着した際にもう一対の磁力部が分離する角度で上部磁力部（１ａ）及び下部磁力部（１ｂ）を固定し、かつ環状物品（４）を保持する際に弊害とならない幅で形成された左右一対の本体部（２）と、左右一対の本体部（２）を上部磁力部（１ａ）と下部磁力部（１ｂ）の間で連結し、かつ環状物品（４）を保持する際に弊害とならない幅で形成され、本体部の動きに合わせて随時変形する環状物品保持部（３）を成す。
本発明は以上のような構造である。
【００１２】  本発明を使用するとき、上部磁力部（１ａ）を分離させて下部磁力部（１ｂ）を密着した状態に固定して環状物品（４）を片方の本体部（２）及び環状物品保持部（３）に通し、その後上部磁力部（１ａ）を密着させて下部磁力部（１ｂ）を分離させた状態とし、上部磁力部（１ａ）及び下部磁力部（１ｂ）の磁力を利用して本体部（２）を磁石に着く材質の壁面（５）に固定する。
【実施例】
【００１３】  以下、実施例を挙げて本発明について、更に詳しく説明する。
【実施例】
【００１４】  合計４個（上部２個と下部２個）のネオジム磁石（直径約６ｍｍ、厚さ約３ｍｍ、磁力約２，８００ガウス）で構成される上部磁力部及び下部磁力部、図１に示すような形状のプラスチック製の本体部（片方の本体部大きさ：全体縦約３０ｍｍ、上部横約１５ｍｍ、全体幅約８ｍｍ、厚さ約７ｍｍ、上部磁力部の角度約９０度に対し、下部磁力部の角度約４５度）並びにゴム製の環状物品保持部（長さ約１５ｍｍ、幅約３ｍｍ）で構成される磁気性環状物品保持具を実施例とした。【００１５】  その磁気性環状物品保持具を炊事や洗い物等の家事を行う主婦が、６０日間、台所で指輪保持具として継続して使用した結果、指輪の落下は認められず、安定して保持されることが確認された。【００１６】  （他の実施形態及び使用方法）
以上、本発明の実施例について説明したが、上述した実施例の実施形態及び使用方法は本発明の一例であり、本発明はこれに限定されるものではない。【００１７】  例えば、本発明の本体部の形状は、動物や植物等の自然物、乗物や建造物等の人工物、美術や図形等の著作物、文字又はキャラクターの輪郭型等、使用者の見た目を楽しませるものであってもよい。【００１８】  また、本発明の本体部の磁石に着く材質の壁面との接面に、滑り止め及び防傷の目的でゴム剤等を塗布してもよい。【００１９】  また、本発明の本体部にチェーン等を通す穴等を施し、チェーン等を係合させて本発明をバッグやベルトに付属させたり、ネックレスとして首から掛けたりしてもよい。【００２０】  また、本発明の上部磁力部を密着させて下部磁力部を分離させた状態のとき、磁石に着く材質のキーホルダーやキーリング等を下部磁力部の磁力を活用して別途保持させてもよい。
【符号の説明】
【００２１】１ａ  上部磁力部
１ｂ  下部磁力部
２  本体部
３  環状物品保持部
４  環状物品
５  磁石に着く材質の壁面
【図１】
2015009138.tif 000003
【図２】
2015009138.tif 000004
【図３】
2015009138.tif 000005
【図４】
2015009138.tif 000006
【図５】
2015009138.tif 000007
【図６】
2015009138.tif 000008
【図７】
2015009138.tif 000009